【手続補正書】
【提出日】平成23年8月11日(2011.8.11)
【手続補正１】
【補正対象書類名】特許請求の範囲
【補正対象項目名】全文
【補正方法】変更
【補正の内容】
【特許請求の範囲】
【請求項１】
無線通信システムにおけるＡＣＫ/ＮＡＣＫ信号送信方法において、
無線リソースを割り当てる段階；及び
前記無線リソースに対するインデックスから定められる位置のＡＣＫチャネルを介してＡＣＫ/ＮＡＣＫ信号を送信する段階；を含み、
前記無線リソースは、リソース割当のための基本的な単位であるリソースユニットを少なくとも一つ含み、前記リソースユニットは、周波数領域で隣接するサブキャリアを含む局部的リソースユニット及び周波数領域で分散されるサブキャリアを含む分散的リソースユニットのうち少なくともいずれか一つであり、前記局部的リソースユニットのインデックスは、前記ＡＣＫチャネルのインデックスにそのままマッピングされ、前記分散的リソースユニットのインデックスは、順列方式に応じて前記ＡＣＫチャネルのインデックスにマッピングされる無線通信システムにおけるＡＣＫ/ＮＡＣＫ信号送信方法。
【請求項２】
前記局部的リソースユニット及び前記分散的リソースユニットは、論理的リソースユニットのインデックスにマッピングされる後、前記ＡＣＫチャネルのインデックスにマッピングされることを特徴とする請求項１に記載の無線通信システムにおけるＡＣＫ/ＮＡＣＫ信号送信方法。
【請求項３】
前記無線リソースは、端末に割り当てられるアップリンクまたはダウンリンクリソースユニットであることを特徴とする請求項１に記載の無線通信システムにおけるＡＣＫ/ＮＡＣＫ信号送信方法。
【請求項４】
前記無線リソースは、端末に割り当てられるアップリンク制御ブロックであることを特徴とする請求項１に記載の無線通信システムにおけるＡＣＫ/ＮＡＣＫ信号送信方法。
【請求項５】
無線通信システムにおけるＡＣＫ/ＮＡＣＫ信号送信方法において、
無線リソースを介してデータを送受信する段階；及び
前記無線リソースのインデックス情報から指示されるＡＣＫチャネルを介してＡＣＫ/ＮＡＣＫ信号を受信する段階；を含み、
前記無線リソースは、リソース割当のための基本的な単位であるリソースユニットを少なくとも一つ含み、前記リソースユニットは、周波数領域で隣接するサブキャリアを含む局部的リソースユニット及び周波数領域で分散されるサブキャリアを含む分散的リソースユニットのうち少なくともいずれか一つであり、前記ＡＣＫチャネルのインデックスは、前記局部的リソースユニットのインデックスからそのままマッピングされ、前記分散的リソースユニットのインデックスから混ざってマッピングされる無線通信システムにおけるＡＣＫ/ＮＡＣＫ信号送信方法。
【請求項６】
前記ＡＣＫチャネルを介して複数のユーザのＡＣＫ/ＮＡＣＫ信号が複合コード分割多重（ＣＤＭ）／周波数分割多重（ＦＤＭ）方式で多重化されて送信されることを特徴とする請求項５に記載の無線通信システムにおけるＡＣＫ/ＮＡＣＫ信号送信方法。
【請求項７】
前記ＡＣＫチャネルを介して複数のユーザのＡＣＫ/ＮＡＣＫ信号が周波数分割多重方式で多重化されて送信されることを特徴とする請求項５に記載の無線通信システムにおけるＡＣＫ/ＮＡＣＫ信号送信方法。
【請求項８】
無線通信システムにおける複数のダウンリンクサブフレーム及び複数のアップリンクサブフレームを含むフレームを用いたＡＣＫ/ＮＡＣＫ信号送信方法において、
前記アップリンクサブフレームを介してデータを送信する段階；及び
前記データに対するＡＣＫ/ＮＡＣＫ信号を前記複数のダウンリンクサブフレームに含まれるＡＣＫチャネルを介して受信する段階；を含み、前記ＡＣＫチャネルは、複数のユーザに対するＡＣＫチャネルを多重化して含み、前記複数のユーザに対するＡＣＫチャネルは、ユーザが割当を受けたリソースブロックを基準として区分される無線通信システムにおけるＡＣＫ/ＮＡＣＫ信号送信方法。
【請求項９】
前記ＡＣＫチャネルは、前記複数のユーザに対するＡＣＫチャネルを複数個含むＡＣＫチャネルグループに含まれることを特徴とする請求項８に記載の無線通信システムにおけるＡＣＫ/ＮＡＣＫ信号送信方法。
【請求項１０】
前記ＡＣＫチャネルは、周波数領域で分散されるサブキャリアにマッピングされることを特徴とする請求項８に記載の無線通信システムにおけるＡＣＫ/ＮＡＣＫ信号送信方法。
【請求項１１】
前記ＡＣＫチャネルは、前記複数のユーザに対するＡＣＫチャネルを直交シーケンスに結合して多重化することを特徴とする請求項８に記載の無線通信システムにおけるＡＣＫ/ＮＡＣＫ信号送信方法。
【請求項１２】
前記ダウンリンクサブフレームは、前記ＡＣＫチャネルの割当情報を含むサブＭＡＰを含むことを特徴とする請求項８に記載の無線通信システムにおけるＡＣＫ/ＮＡＣＫ信号送信方法。
【請求項１３】
無線通信システムにおけるダウンリンクを介して送信され、ＨＡＲＱ技法のために使われるＡＣＫ/ＮＡＣＫ情報を送信機が構成する方法において、
前記ダウンリンクに送信される第１のＡＣＫ/ＮＡＣＫビットを生成する段階；
前記ダウンリンクに送信される第２のＡＣＫ/ＮＡＣＫビットを生成する段階；
繰り返し回数に基づいて前記第１のＡＣＫ/ＮＡＣＫビットを繰り返す段階；
前記繰り返し回数に基づいて前記第２のＡＣＫ/ＮＡＣＫビットを繰り返す段階；
前記繰り返された第１のＡＣＫ/ＮＡＣＫビットに基づいて第１の変調シンボルを生成する段階；
前記繰り返された第２のＡＣＫ/ＮＡＣＫビットに基づいて第２の変調シンボルを生成する段階；及び、
前記第１及び第２の変調シンボルに対する空間−周波数ブロックコード符号化を実行して前記ＡＣＫ/ＮＡＣＫ情報を構成する段階；
を含むＡＣＫ/ＮＡＣＫ情報を構成する方法。
【請求項１４】
前記ダウンリンクに送信される第３のＡＣＫ/ＮＡＣＫビットを生成する段階；
前記ダウンリンクに送信される第４のＡＣＫ/ＮＡＣＫビットを生成する段階；
前記繰り返し回数に基づいて前記第３のＡＣＫ/ＮＡＣＫビットを繰り返す段階；及び、
前記繰り返し回数に基づいて前記第４のＡＣＫ/ＮＡＣＫビットを繰り返す段階；をさらに含み、
前記第１の変調シンボルは、前記繰り返された第１のＡＣＫ/ＮＡＣＫビット及び前記繰り返された第３のＡＣＫ/ＮＡＣＫビットに基づいて生成され、
前記第２の変調シンボルは、前記繰り返された第２のＡＣＫ/ＮＡＣＫビット及び前記繰り返された第４のＡＣＫ/ＮＡＣＫビットに基づいて生成される請求項１３に記載のＡＣＫ/ＮＡＣＫ情報を構成する方法。
【請求項１５】
前記繰り返された第１のＡＣＫ/ＮＡＣＫビットは、前記第１の変調シンボルの実数部にマッピングされ、前記繰り返された第３のＡＣＫ/ＮＡＣＫビットは、前記第１の変調シンボルの虚数部にマッピングされる請求項１４に記載のＡＣＫ/ＮＡＣＫ情報を構成する方法。
【請求項１６】
前記繰り返された第２のＡＣＫ/ＮＡＣＫビットは、前記第２の変調シンボルの実数部にマッピングされ、前記繰り返された第４のＡＣＫ/ＮＡＣＫビットは、前記第２の変調シンボルの虚数部にマッピングされる請求項１４に記載のＡＣＫ/ＮＡＣＫ情報を構成する方法。
【請求項１７】
前記第１のＡＣＫ/ＮＡＣＫビットは第１の端末に対応され、前記第２のＡＣＫ/ＮＡＣＫビットは第２の端末に対応され、前記第３のＡＣＫ/ＮＡＣＫビットは第３の端末に対応され、前記第４のＡＣＫ/ＮＡＣＫビットは第４の端末に対応される請求項１４に記載のＡＣＫ/ＮＡＣＫ情報を構成する方法。
【請求項１８】
前記第１のＡＣＫ/ＮＡＣＫビットは第１の端末に対応され、前記第２のＡＣＫ/ＮＡＣＫビットは第２の端末に対応される請求項１３に記載のＡＣＫ/ＮＡＣＫ情報を構成する方法。
【請求項１９】
前記ＡＣＫ/ＮＡＣＫ情報は、分散リソースユニットを介して送信される請求項１３に記載のＡＣＫ/ＮＡＣＫ情報を構成する方法。
【請求項２０】
前記第１の変調シンボル及び第２の変調シンボルは、ＱＰＳＫシンボルである請求項１３に記載のＡＣＫ/ＮＡＣＫ情報を構成する方法。